(57)【要約】【課題】  巻取り物の巻状態の緩締作業を簡略化できると共に、緩締作業を安定してかつ均一に行うことが可能な手段を提供する。【解決手段】  本発明の緩締装置１は、巻取り物をその端面側から回転させる第１の回転体１０、または、巻取り物の内周面側を回転させる第２の回転体２０を具備する。好ましくは、第１の回転体１０と第２の回転体２０をともに具備し、かつ、第１の回転体１０と第２の回転体２０とが、巻取り物の中心軸を回転軸として互いに逆方向に回転可能とされている。【選択図】  図１
2006124090.tif 000002
【特許請求の範囲】
【請求項１】
帯状物をロール状に巻取ってなる巻取り物の巻状態を緩める若しくは締めることが可能な緩締装置であって、
前記巻取り物をその端面側から回転させる第１の回転体または前記巻取り物の内周面側を回転させる第２の回転体を具備することを特徴とする巻取り物の緩締装置。
【請求項２】
前記第１の回転体と、前記第２の回転体とを具備すると共に、前記第１の回転体と前記第２の回転体とが、前記巻取り物の中心軸を回転軸として互いに逆方向に回転可能とされていることを特徴とする請求項１に記載の巻取り物の緩締装置。
【請求項３】
前記第１の回転体および／または前記第２の回転体が、反転可能とされていることを特徴とする請求項１または２に記載の巻取り物の緩締装置。
【請求項４】
前記巻取り物が中心軸側に空洞部分を有すると共に、該空洞部分に前記第２の回転体が挿入されることを特徴とする請求項１から請求項３までのいずれか１項に記載の巻取り物の緩締装置。
【請求項５】
前記第２の回転体の外径が前記巻取り物の内径よりも小さく設定されている共に、
前記第２の回転体と前記巻取り物との間には、前記第２の回転体と前記巻取り物とを固定するための固定手段が備えられており、かつ該固定手段の前記巻取り物側最端部の位置が、前記第２の回転体の外周面と前記巻取り物の内周面との間隔に応じて調節可能とされていることを特徴とする請求項４に記載の巻取り物の緩締装置。
【請求項６】
前記固定手段が、内部に流体が充填されると共に、充填される流体量に応じて全体の体積が変動する中空部材であることを特徴とする請求項５に記載の巻取り物の緩締装置。
【請求項７】
前記第１の回転体および／または前記第２の回転体の回転速度を調節する回転速度調節手段をさらに具備することを特徴とする請求項１から請求項６までのいずれか１項に記載の巻取り物の緩締装置。
【請求項８】
前記第１の回転体および／または前記第２の回転体の回転時間を調節する回転時間調節手段をさらに具備することを特徴とする請求項１から請求項７までのいずれか１項に記載の巻取り物の緩締装置。
【請求項９】
帯状物をロール状に巻取ってなる巻取り物の巻状態を緩める若しくは締める緩締方法であって、
前記巻取り物をその端面側から一方向に回転させると同時に、前記巻取り物の内周面側をその逆方向に回転させることを特徴とする巻取り物の緩締方法。
【請求項１０】
前記巻取り物の巻状態を緩める場合には、前記巻取り物をその端面側から巻方向と逆方向に回転させ、
前記巻取り物の巻状態を締める場合には、前記巻取り物をその端面側から巻方向と同一方向に回転させることを特徴とする請求項９に記載の巻取り物の緩締方法。
【請求項１１】
前記巻取り物の巻状態を緩める場合には、外径が元の状態より大きくなるように前記巻取り物の外周部を緩め、最外周に位置する帯状物を前記巻取り物に固定してから、前記巻取り物を回転させることを特徴とする請求項９又は請求項１０に記載の巻取り物の緩締方法。
【発明の詳細な説明】
【技術分野】
【０００１】
本発明は、巻取り物の巻状態を緩める若しくは締めることが可能な緩締装置、および該装置を用いた巻取り物の緩締方法に関するものである。
【背景技術】
【０００２】
ベアチップ型の半導体パッケージを実装する方法として、テープオートメーテッドボンディング方式が知られており、この方式に用いられる接着剤層付きテープは通常ＴＡＢテープと称される。
ＴＡＢテープは、耐熱性樹脂等からなる絶縁性テープの片面に接着剤層を介して剥離性テープを貼着した積層体を調製し、これを加工することにより製造されている（例えば、特許文献１等）。
ここで、前記積層体を加工する前には、あらかじめ接着剤層を半硬化しておくことが好ましい。これは、ＴＡＢテープを製造する際に、接着剤層と金属箔とを貼り合わせるが、接着剤層が柔らかすぎると接着剤がデバイスホール等にはみだし、品質が低下する恐れがあるからである。
そこで、従来は、前記積層体を調製しロール状に一旦巻取った後、全体を加熱し、接着剤層を半硬化させている。また、接着剤層を半硬化するにあたっては、内部にまで熱に行き渡るように、巻状態を緩めてから加熱処理を行い、処理終了後、元の状態に戻す操作が行われている。
【特許文献１】特開平９−１６２２４５号公報
【発明の開示】
【発明が解決しようとする課題】
【０００３】
しかしながら、従来は、積層体の巻状態を緩める作業や元に戻す（締める）作業は、人の手によって為されていた。そのため、作業効率が悪く、生産性の低下、製造コストの増大を招いていた。また、半硬化処理に供される積層体の巻状態の制御が極めて困難であったため、積層体の巻状態の不均一化に起因して、接着剤層の半硬化状態にムラが生じ、ＴＡＢテープの品質が低下する恐れもあった。なお、本明細書では、巻取り物の巻状態を緩める若しくは締めることを「緩締」と定義する。
そこで、本発明は上記事情に鑑みてなされたものであり、巻取り物の巻状態の緩締作業を簡略化できると共に、緩締作業を安定してかつ均一に行うことが可能な手段を提供することを目的とする。
【課題を解決するための手段】
【０００４】
本発明者は上記課題を解決するべく検討を行った結果、以下の装置および方法を発明した。
本発明の緩締装置は、帯状物をロール状に巻取ってなる巻取り物の巻状態を緩める若しくは締めることが可能な緩締装置であって、前記巻取り物をその端面側から回転させる第１の回転体または前記巻取り物の内周面側を回転させる第２の回転体を具備することを特徴とする。
また、本発明の緩締装置は、前記第１の回転体と、前記第２の回転体とを具備すると共に、前記第１の回転体と前記第２の回転体とが、前記巻取り物の中心軸を回転軸として互いに逆方向に回転可能とされていることが好ましい。
ここで、前記第１の回転体および／または前記第２の回転体は、反転可能とされていることが好ましい。
【０００５】
また、前記巻取り物が中心軸側に空洞部分を有する場合には、該空洞部分に前記第２の回転体を挿入することにより、前記巻取り物の内周面側を良好に回転させることができる。また、この場合、前記第２の回転体の外径が前記巻取り物の内径よりも小さく設定されている共に、前記第２の回転体と前記巻取り物との間には、前記第２の回転体と前記巻取り物とを固定するための固定手段が備えられており、かつ該固定手段の前記巻取り物側最端部の位置が、前記第２の回転体の外周面と前記巻取り物の内周面との間隔に応じて調節可能とされていることが好ましい。
また、前記第１の回転体および／または前記第２の回転体の回転速度を調節する回転速度調節手段が備えられていることが好ましい。また、前記第１の回転体および／または前記第２の回転体の回転時間を調節する回転時間調節手段が備えられていることが好ましい。
【０００６】
また、本発明の緩締方法は、帯状物をロール状に巻取ってなる巻取り物の巻状態を緩める若しくは締める緩締方法であって、前記巻取り物をその端面側から一方向に回転させると同時に、前記巻取り物の内周面側をその逆方向に回転させることを特徴とする。
具体的には、前記巻取り物の巻状態を緩めるには、前記巻取り物をその端面側から巻方向と逆方向に回転させれば良く、前記巻取り物の巻状態を締めるには、前記巻取り物をその端面側から巻方向と同一方向に回転させれば良い。
また、前記巻取り物の巻状態を緩める場合には、外径が元の状態より大きくなるように前記巻取り物の外周部を緩め、最外周に位置する帯状物を前記巻取り物に固定してから、前記巻取り物を回転させることが好ましい。
【０００７】
なお、本明細書において、「帯状物」は単層体であっても良いし、積層体であっても良い。また、「巻取り物の端面」とは、巻取り物の中心軸方向に対して垂直な端面を意味しているものとする。また、巻取り物としては、芯ロールに帯状物を巻き付けたものと、芯ロールのないものが存在するが、「巻取り物の内周面」とは、芯ロールも含めた巻取り物の最内周面を意味しているものとする。すなわち、芯ロールに帯状物を巻き付けたものでは、芯ロールの内周面が、「巻取り物の内周面」に相当するものとする。
【発明の効果】
【０００８】
本発明によれば、巻取り物の巻状態の緩締作業を著しく簡略化できると共に、緩締作業を安定してかつ均一に行うことが可能な緩締装置および緩締方法を提供することができる。
【発明を実施するための最良の形態】
【０００９】
［緩締装置］
次に、図１に基づいて、本発明に係る実施形態の緩締装置の構造について説明する。図１において、（ａ）は緩締装置を巻取り物を設置する側から見た時の平面図、（ｂ）は（ａ）から後述する第１の回転体を取り除いた状態を示す平面図、（ｃ）は緩締装置を側方（（ａ）において符号Ａで示す方向）から見た時の透視図である。本発明の緩締装置は、帯状物をロール状に巻取ってなる巻取り物の巻状態の緩締が可能な装置であるが、本実施形態では、中心軸側に空洞部分を有する芯ロールに帯状物を巻き付けた巻取り物の緩締を行う場合を例として説明する。但し、本発明は、芯ロールのない巻取り物や、中心軸側に空洞部分のない芯ロールを用いた巻取り物にも適用可能である。
【００１０】
図１に示すように、本実施形態の緩締装置１は、巻取り物を載置する円盤状の第１の回転体１０と、巻取り物の空洞部分に挿入される円筒状の第２の回転体２０と、これらを設置する直方体状の台３０とから概略構成されている。なお、第１の回転体１０は上記のような円盤状に限らず、巻取り物を回転可能であれはその形状は限定されない。
【００１１】
第２の回転体２０はその回転軸が台３０の上面（巻取り物を設置する側の面）に対して垂直方向となるように、台３０に固定されている。また、その一部は台３０に埋設されており、台３０内において第２の回転体２０の下方に埋設された駆動用モータ２１により駆動されるようになっている。また、第２の回転体２０の外径は、巻取り物の内径（本実施形態では芯ロールの内径に相当）と略等しくなるように設定されている。なお、第２の回転体２０の形状としては、円筒状に限らず、円柱状であっても良い。
また、芯ロールのない巻取り物や中心軸側に空洞部分のない芯ロールを用いた巻取り物の緩締を行う場合には、第２の回転体を円盤状とし、第２の回転体に巻取り物の中心軸が固定されるようにすれば良い。また、第２の回転体を針状とし、第２の回転体を中心軸に挿入することにより、巻取り物の中心軸を固定する構成としても良い。
このように第２の回転体２０としては、巻取り物を回転可能であればその形状は限定されない。
【００１２】
第１の回転体１０はその中央部が開口しており、この開口部分に、第１の回転体１０と回転軸が等しくなるように第２の回転体２０が挿通されている。また、第２の回転体２０の外周面に沿って、第１の回転体１０を保持するための円筒状の保持部材４１が備えられている。この保持部材４１も第２の回転体２０と同様、その一部が台３０に埋設されている。但し、その上端は第２の回転体２０の上端よりも低くなるように高さが設定されている。さらに、台３０上には、第１の回転体１０を保持するための４つの円柱状の保持部材４２が、第１の回転体１０の周縁部に沿って設けられている。保持部材４１と４２の上端は同一高さに設定されており、これらの上端に第１の回転体１０が載置されている。そして、第２の回転体２０の一部が第１の回転体１０よりも上方に位置するように構成されている。ここで、第２の回転体２０において、第１の回転体１０より上方に位置する部分の高さは、巻取り物の高さ（帯状物の幅）以上に設定されていることが好ましい。また、保持部材４１には駆動用モータ１１が接続されており、これによって、保持部材４１および第１の回転体１０が駆動され回転されるようになっている。
なお、回転体を台に設置する構成や駆動用モータと回転体との接続構造等については、図示するものに限定されず、適宜設計される。
上記第１の回転体１０および第２の回転体２０の材質としては、磨耗が少なく耐久性が優れているステンレスが好ましいが、これに限るものではない。また、保持部材４１，４２の材質としては、金属や樹脂等を挙げることができる。特に第１の回転体１０との隙間をなくして該回転体を滑らかに回転させるために滑り性が優れている樹脂が好ましく、特に磨耗が少なく耐久性が優れているポリテトラフルオロエチレン等のフッ素樹脂が好ましい。
【００１３】
また、台３０上には、装置のオンオフを行うオンオフスイッチ５１と、第１の回転体１０、第２の回転体２０の回転速度を各々設定する回転速度設定ボタン（回転速度調節手段）５２、５３と、第１の回転体１０および第２の回転体２０の回転時間を設定するタイマー（回転時間調節手段）５４とが備えられている。そして、駆動用モータと、これらオンオフスイッチ、回転速度設定ボタン、タイマーとが各々電気的に接続されており、駆動用モータのオンオフ、第１の回転体１０、第２の回転体２０の回転速度および回転時間が調節できるようになっている。
【００１４】
また、第１の回転体１０と第２の回転体２０とは互いに逆方向に回転するように構成されている。また、台３０上にはこれらの回転方向を制御する回転方向制御ボタン５５が備えられており、このボタン５５を押す毎に、第１の回転体１０および第２の回転体２０の回転方向が各々反転するように構成されている。つまり、巻取り物を載置する側から見て、第１の回転体１０が時計回り方向に回転する時には、第２の回転体２０は反時計回り方向に回転する。そして、この状態で回転方向制御ボタン５５を押すと、第１の回転体１０は反時計回り方向に回転し、第２の回転体２０は時計回り方向に回転する。
なお、本発明の緩締装置としては、上記のように第１の回転体１０と第２の回転体２０の両者を具備したものが、作業効率よく巻取り物の巻状態を均等に緩める若しくは締めることが可能であるから好ましいが、第１の回転体１０または第２の回転体２０のどちらか一方のみを備えて構成されたものでもよい。そのような緩締装置では、具備する一方の回転体の回転速度および回転方向を調節することによって、巻取り物の巻き状態を均等に緩める若しくは締めることが可能である。
【００１５】
［緩締方法］
本実施形態の緩締装置１は以上のように構成されている。以下、図２に基づいて、この装置を用いて巻取り物の巻状態を緩める方法について説明する。
図２は、本実施形態の緩締装置に巻取り物を設置した状態を示す図であり、（ａ）は図１（ａ）に対応する平面図、（ｂ）は図１（ｃ）に対応する側面図である。
【００１６】
はじめに、図２に示すように、巻取り物６０の端面が第１の回転体１０と接し、内周面（本実施形態では、芯ロール６１の内周面に相当）が第２の回転体２０の外周面に接するように載置する。本実施形態では、巻取り物６０の巻方向を反時計回り方向とする。なお、本明細書における「巻取り物の巻方向」とは、図２（ａ）に示すように、帯状物が巻取り物の中心軸側から外側に向かう方向を意味しているものとする。
次に、巻取り物６０の外径が元の状態より２〜３ｃｍ程度大きくなるように、巻取り物６０の最外周又は最外周およびその近傍部分（これらを含めて外周部と称す。）に位置する帯状物を緩め、最外周に位置する帯状物の端部（巻終わり部分）を粘着テープ等により最外周より１周内側の帯状物に固定する。
【００１７】
次に、オンオフスイッチ５１をオンにし、回転速度設定ボタン５２、５３と、タイマー５４を設定する。そして、第１の回転体１０と第２の回転体２０とを回転させる。この時、回転方向制御ボタン５５により、第１の回転体１０は時計回り方向（巻取り物の巻方向と逆方向）、第２の回転体２０は反時計回り方向（巻取り物の巻方向と同一方向）に回転するように制御する。タイマー５４で設定した時間が経過すると、自動的に第１の回転体１０および第２の回転体２０の回転は停止する。
第１の回転体１０を上述のように回転させると、巻取り物６０は全体的にその端面側から巻方向と逆方向に回転する。また、第２の回転体２０を上述のように回転させると、巻取り物６０の内周面側については、巻方向と同一方向に回転する。これらが同時に進行することにより、巻取り物６０の内周面側と外周面側に位置する帯状物が互いに離間するように広がるので、巻取り物６０の巻状態を全体的に緩めることができる。
【００１８】
逆に、一旦緩めた巻取り物６０の巻状態を締めるには、巻取り物６０を第１の回転体１０上に載置した後、最外周に位置する帯状物の端部（巻終わり部分）を巻取り物６０に固定せず、第１の回転体１０および第２の回転体２０を、緩める場合とは逆方向に回転させれば良い。すなわち、第１の回転体１０は巻取り物の巻方向と同一方向、第２の回転体２０は巻取り物の巻方向と逆方向に回転させれば良い。このように操作を行うことにより、上記とは逆の現象が起こり、巻取り物６０の巻状態を全体的に締めることができる。
【００１９】
本実施形態の緩締装置および緩締方法によれば、巻取り物６０の緩締作業を機械的に（自動的に）行うことができるので、緩締作業を著しく簡略化することができ、ＴＡＢテープ等の生産性の向上、製造コストの削減を図ることができる。また、巻取り物６０の緩締作業を機械的に行うことができるので、緩締作業を安定してかつ均一に行うことができる。したがって、巻取り物を緩めて加熱処理などの処理を施す場合、全体に均一に加熱処理等を施すことができ、製品の性能向上を図ることができる。
【００２０】
また、従来、ＴＡＢテープ製造用の積層体を巻き取った巻取り物は堅く巻かれ通常は乾燥状態にあるが、長期間放置すると、端面と内側の吸湿状態が異なってしまうことがあった。このように、吸湿状態にムラのある積層体を用いてＴＡＢテープを製造すると、パンチング孔形成工程後のエッチング工程等において、吸湿した部分が膨張し、形成されるパンチング孔の位置精度が低下する恐れがあった。
しかしながら、本実施形態の緩締装置および緩締方法を適用することにより、かかる問題も解決することができる。すなわち、巻取り物を均一に緩めた後、所定の環境下で調湿することにより、全体の吸湿状態を均一化することができるので、パンチング孔の位置精度を向上させることができる。
【００２１】
また、第１の回転体１０および第２の回転体２０の回転時間や回転速度を調節可能としたので、巻取り物６０を構成する帯状物の材質や幅・長さ、所望の巻状態等に応じて、巻状態を安定してかつ良好に制御することができる。そのため、緩めすぎや締めすぎなどが発生する恐れがない。
また、緩める際には、外径が元の状態より大きくなるように巻取り物６０の外周部を緩め、最外周に位置する帯状物を巻取り物６０に固定してから、巻取り物６０を回転させる構成とした。このように、巻取り物６０の大きさをあらかじめ固定することにより、巻取り物６０がそれ以上緩む恐れがなく、作業後の径を均一化することができるので、作業後の巻状態を均一化することができる。
また、第１の回転体１０および第２の回転体２０を反転可能としたので、巻取り物６０の巻方向に関係なく、緩締作業を行うことができる。また、緩める作業と締める作業を同一の装置で実施できるので、好適である。
【００２２】
なお、本実施形態では、第２の回転体の外径と巻取り物の内径が略等しい場合について説明したが、種々の内径の巻取り物に対応可能に構成することが好ましい。種々の内径の巻取り物に対応するには、第２の回転体の外径を、緩締作業を行う巻取り物の最小内径よりも小さく設定すれば良いが、第２の回転体の外周面と巻取り物の内周面とが固定されないと、第２の回転体を回転させても、巻取り物を内周面側から回転させることができなくなる。
そこで、第２の回転体の外径を、緩締作業を行う巻取り物の内径よりも小さく設定する場合には、第２の回転体と巻取り物との間に、第２の回転体と巻取り物とを固定すると共に、巻取り物側最端部の位置が、第２の回転体の外周面と巻取り物の内周面との間隔に応じて調節可能な固定手段を設けることが好ましい。
【００２３】
ここで、固定手段としては、例えば、図３に示すような、内部に気体や液体等の流体７１が充填可能であり、かつ充填される流体量に応じて全体の体積が変動するゴム製等の中空部材７０が好適である。なお、図３において、（ａ）は第２の回転体において第１の回転体より上方に位置する部分のみを取り出し、中空部材を取り付けた状態を示す斜視図、（ｂ）はその断面図である。
かかる中空部材７０を第２の回転体２０の外周に沿って取り付ける構成とすれば、第２の回転体２０の外周面と巻取り物の内周面との間隔に応じて、中空部材７０に充填する流体量を調節し、その中空部材７０の巻取り物側最端部が巻取り物の内周面に当接するように、中空部材７０全体の体積を調節することができるので、種々の内径の巻取り物に対応可能となる。
【００２４】
また、このような中空部材の代わりに、図４に示すような部材８０を取り付ける構成としても良い。図４において、（ａ）は図３（ａ）と同様の斜視図、（ｂ）は（ａ）に示す第２の回転体を上方から見た時の平面図である。
すなわち、第２の回転体２０の上端側を一部切除し、この部分に一端が第２の回転体２０に固定されており、この固定された部分８１を軸として、第２の回転体２０の上端面に対して水平な面で移動可能なプロペラ状の部材８０を取り付ける構成としても良い。なお、この部材８０は３６０°回転するものであっても良いし、それよりも小さい範囲で移動するものであっても良い。
かかる部材８０を第２の回転体２０に取り付ける構成とすれば、第２の回転体２０の外周面と巻取り物の内周面との間隔に応じて、部材８０の巻取り物側最端部（固定された部分８１と反対側の最端部）が巻取り物の内周面に当接するように、部材８０を固定された部分８１を軸として移動させることができるので、種々の内径の巻取り物に対応可能となる。
【００２５】
なお、図３に示した中空部材７０を採用する場合には、充填された流体の圧力により第２の回転体２０と巻取り物とが固定され、巻取り物の内周面は柔軟なゴム（天然ゴムや合成ゴム）製等の中空部材７０に接するため、巻取り物の内周面には機械的な作用がほとんどかからない。そのため、巻取り物の内周面が損傷される恐れはない。
これに対して、図４に示したプロペラ状の部材８０を採用する場合には、第２の回転体２０と巻取り物とが部材８０による機械的な押圧作用によってのみ固定される。したがって、これらを良好に固定するには、部材８０としてある程度硬い材質を用いる必要があり、しかも巻取り物の内周面には機械的な作用がかかるため、部材８０や巻取り物の内周面の材質等によっては巻取り物の内周面が損傷される恐れがある。  
したがって、例示した固定手段の中でも、特に前者の中空部材７０を採用することが好ましい。      
【図面の簡単な説明】
【００２６】
【図１】図１（ａ）〜（ｃ）は、本発明に係る実施形態の緩締装置の構造を示す図である。
【図２】図２（ａ）、（ｂ）は、本発明に係る実施形態の緩締方法を説明するための図である。
【図３】図３（ａ）、（ｂ）は、第２の回転体と巻取り物を固定する固定手段の一例を示す図である。
【図４】図４（ａ）、（ｂ）は、第２の回転体と巻取り物を固定する固定手段のその他の例を示す図である。
【符号の説明】
【００２７】
１    緩締装置
６０  巻取り物
１０  第１の回転体
２０  第２の回転体
５２、５３  回転速度設定ボタン（回転速度調節手段）
５４  タイマー（回転時間調節手段）
７０  中空部材（固定手段）
７１  流体
８０  プロペラ状の部材（固定手段）
【図１】
2006124090.tif 000003
【図２】
2006124090.tif 000004
【図３】
2006124090.tif 000005
【図４】
2006124090.tif 000006